(57)【要約】【課題】回転槽の内部を照明する照明装置が高温になるのを抑え、照明装置の寿命を確保することができる洗濯機を提供する。【解決手段】筐体３の内部に設けられた水槽８と、水槽８の内部に回転可能に設けられた回転槽１１と、回転槽１１の内部を照明する照明装置４０と、照明装置４０の点灯を制御する照明制御部２０と、回転槽１１が常温状態と常温状態より回転槽１１内の温度が高い高温状態のいずれの温度状態にあるのかを検出する検出手段４２とを備えた洗濯機１において、照明制御部２０は、照明装置４０を点灯させるときあるいは照明装置４０が点灯しているときに、検出手段４２が高温状態を検出すると照明装置４０の点灯を禁止する、又は常温状態を検出した場合に比べて照明装置４０の発光量を低下する又は発光時間を短縮する。【選択図】        図４
2017012508.tif 000002
【特許請求の範囲】
【請求項１】
筐体の内部に設けられた水槽と、前記水槽の内部に回転可能に設けられた回転槽と、前記回転槽の内部を照明する照明装置と、前記照明装置の点灯を制御する照明制御部と、前記回転槽が常温状態と常温状態より前記回転槽内の温度が高い高温状態のいずれの温度状態にあるのかを検出する検出手段とを備えた洗濯機において、
前記照明制御部は、前記照明装置を点灯させるときあるいは前記照明装置が点灯しているときに、前記検出手段が高温状態を検出すると前記照明装置の点灯を禁止する、又は常温状態を検出した場合に比べて前記照明装置の発光量を低下する又は発光時間を短縮する洗濯機。
【請求項２】
前記検出手段は、前記回転槽内の温度を検出する温度センサを備え、前記温度センサの検出温度が、所定温度以下であると常温状態を検出し、所定温度より高いと高温状態を検出する請求項１に記載の洗濯機。
【請求項３】
前記検出手段は、加熱した洗濯液を前記水槽に供給して前記回転槽内の衣類を洗う温水洗浄運転又は前記回転槽内の衣類を乾燥させる乾燥運転の開始から終了後所定時間経過するまでの場合に高温状態を検出する請求項１に記載の洗濯機。
【請求項４】
前記照明制御部は、前記照明装置を点灯させるときに、前記検出手段が高温状態を検出すると常温状態を検出した場合と異なる色で前記回転槽を照明する請求項１〜３のいずれか１項に記載の洗濯機。
【請求項５】
前記照明制御部は、加熱した洗濯液を前記水槽に供給して前記回転槽内の衣類を洗う温水洗浄運転の開始時に前記照明装置を点灯させるあるいは点灯状態を維持し、
温水洗浄運転の開始から所定時間経過する、又は前記回転槽内の温度を検出する温度センサの検出温度が所定温度より高いと、前記検出手段が高温状態を検出し、前記照明制御部は、前記照明装置を消灯する、又は常温状態を検出した場合に比べて発光量を低下するもしくは発光時間を短縮する請求項１に記載の洗濯機。
【発明の詳細な説明】
【技術分野】
【０００１】
本発明の実施形態は洗濯機に関する。
【背景技術】
【０００２】
従来より、暗所において洗濯物の出し入れを容易にしたり、運転中に内部の状況を目視確認したりするために、回転槽の内部を照明する照明装置を備えた洗濯機が提案されている（例えば、下記特許文献１〜４参照）。
【０００３】
近年、回転槽の高容量化や照明装置の高輝度化に対する要請が強いことから、限られたスペースに高輝度の照明装置を配設する必要があり、照明装置の小型化及び高輝度化が図られている。そのため、照明装置の発熱量が大きくなる一方で放熱量を確保することが困難となり、照明装置が高温となりやすく照明装置の寿命が短くなりやすい。
【先行技術文献】
【特許文献】
【０００４】
【特許文献１】特開２０００−１５７７８１号公報
【特許文献２】特開平４−３４４３２９号公報
【特許文献３】特開平９−７６２０７号公報
【特許文献４】特開平９−７６２０６号公報
【発明の概要】
【発明が解決しようとする課題】
【０００５】
そこで、回転槽の内部を照明する照明装置が高温になるのを抑え、照明装置の寿命を確保することができる洗濯機を提供することを目的とする。
【課題を解決するための手段】
【０００６】
本実施形態の洗濯機は、筐体の内部に設けられた水槽と、前記水槽の内部に回転可能に設けられた回転槽と、前記回転槽の内部を照明する照明装置と、前記照明装置の点灯を制御する照明制御部と、前記回転槽が常温状態と常温状態より前記回転槽内の温度が高い高温状態のいずれの温度状態にあるのかを検出する検出手段とを備えた洗濯機において、前記照明制御部は、前記照明装置を点灯させるときに、前記検出手段が高温状態を検出すると常温状態を検出した場合に比べて発光量を低下する又は発光時間を短縮するものである。
【図面の簡単な説明】
【０００７】
【図１】本発明の一実施形態に係る洗濯機の斜視図である。
【図２】図１の洗濯機の断面図である。
【図３】図１の洗濯機の電気構成を示すブロック図である。
【図４】図１の洗濯機の照明装置の制御を示すフロー図である。
【図５】第２実施形態に係る洗濯機の照明装置の制御を示すフロー図である。
【図６】第２実施形態に係る洗濯機の照明装置の制御を示すタイミングチャートである。
【発明を実施するための形態】
【０００８】
（第１実施形態）
以下、本発明の第１実施形態について、図面を参照して説明する。
【０００９】
本実施形態の洗濯機１は、図１及び図２に例示するような回転軸を傾斜させた回転槽（回転ドラム）１１を備えるドラム式洗濯機であり、ほぼ矩形箱状の筐体３と、その下部に設けられた台板２とから洗濯機１の外郭が形成されている。筐体３の前面部３ａには前上がりの傾斜状をなしており、そのほぼ中央部に円形の開口部からなる洗濯物出入口４が形成されている。筐体３の前面部３ａには、ヒンジを介して扉５が横方向に回動可能に設けられ、扉５により洗濯物出入口４が開閉される。本実施形態では、扉５の開放を検知する扉センサ１９（図３参照）が筐体３に設けられている。
【００１０】
筐体３の内部には、図２に示すように、前面が開口し後面が閉塞されたほぼ円筒状の水槽８が配設されている。この水槽８は、前面の開口部が洗濯物出入口４に連通するように、水槽８の軸方向が前後方向の横軸状態であって後下がりにやや傾斜した状態で台板２上に弾性支持機構９を介して弾性的に支持されている。
【００１１】
水槽８は、給水弁１６を介して水槽８の上部に設けられた給水口より水道水などの水が機外から供給され、水槽８の底部に設けられた排水口より排水弁１７を介して水槽８内の水を機外へ排水できるように構成されている。また、排水口の近傍に設けられたエアトラップには、水槽８内の水位を検知する水位センサ１８（図３参照）がエアチューブを介して接続されている。
【００１２】
水槽８は、前面の開口部や給水口や排水口以外に不図示の循環ダクトを接続する排気口と給気口が設けられている。循環ダクトの内部には、内部を流通する空気を除湿及び加熱を行う除湿機構２２（図３参照）が収納されており、回転ドラム１１と循環ダクトとの間で空気を循環させることで回転ドラム１１内の衣類を乾燥させる。
【００１３】
また、水槽８内の底部には、温水用ヒータ２３（図３参照）が設けられている。この温水用ヒータ２３は、例えばシーズヒータから構成されていて、衣類を温水で洗う温水洗浄運転を行う際に通電されて水槽８内の洗濯液を加熱する。
【００１４】
水槽８の前面開口部８ａは、その前方に対向する洗濯物出入口４と環状のベローズ１０によって水密状態で連結されている。また、水槽８は、前面の開口部や給水口や排水口以外に、前部の上面に吸気口（不図示）と、後部の背面の上部に排気口（不図示）が設けられている。
【００１５】
水槽８の内部には、前面が開口し後面が閉塞された円筒状の回転ドラム１１が回転可能に配設されている。回転ドラム１１は、その軸方向が前後方向の横軸状態であって後下がりにやや傾斜した状態で水槽８内に配設されている。回転ドラム１１の周壁には通水及び通風が可能な孔１２が多数形成され、この孔１２によって回転ドラム１１の内部が水槽８と連通している。回転ドラム１１の前面開口部も洗濯物出入口４に連通し、回転ドラム１１は洗濯物出入口４から投入される衣類を収容する。回転ドラム１１は、水槽８の背面に設けられたドラムモータ１３により回転駆動される。このような構成の回転ドラム１１は、洗い行程時には洗濯槽として、脱水行程時には脱水槽として、さらに乾燥運転時には乾燥槽として機能する。
【００１６】
洗濯物出入口４を開閉する扉５は、例えば、プラスチック製のリング状の枠体５ａと、枠体５ａの内部に設けられたガラス製の透光部５ｂとを備え、透光部５ｂを介して洗濯機の内外を光が透過するように構成されている。
【００１７】
そして、図２に示すように、洗濯物出入口４と水槽８の前面開口部８ａを連結するベローズ１０には、回転ドラム１１の内部を照明する照明装置４０が設けられている。
【００１８】
照明装置４０は、例えば、赤色の波長帯（６２０〜７５０ｎｍ）の光を発光する赤色用光源と、緑色の波長帯（４９５〜５７０ｎｍ）の光を発光する緑色用光源と、青色の波長帯（４５０〜４９５ｎｍ）の光を発光する青色用光源とを備え、これらの各光源をそれぞれ独立して発光させて各波長帯の光を照射したり、全ての光源を同時に発光させて白色光を照射したり、各光源の発光量を調整することで任意の色の光を照射することができる。照明装置４０に設けられた赤色用光源、緑色用光源、及び青色用光源は、例えば、発光ダイオードから構成されている。
【００１９】
照明装置４０は、ベローズ１０の上部部分に設けられた取付孔４１に水密状態で挿入され、照明装置４０の先端が環状のベローズ１０の上部内側から突出している。照明装置４０の先端には、赤色用光源、緑色用光源、及び青色用光源が斜め下方に指向して取り付けられており、これにより、洗濯物出入口４の内側上部から回転ドラム１１内を照明するように設けられている。
【００２０】
また、ベローズ１０に設けられた照明装置４０の近傍には、回転ドラム１１内の温度を検出するドラム温度センサ４２が設けられている。
【００２１】
筐体３の前面部３ａの上方位置には、引き出し式の洗剤投入ケース７が設けられ、その洗剤投入ケース７の側方に操作表示パネル６が設けられている。この操作表示パネル６には、洗濯機の各種操作を設定する操作キー１４や、運転状況を表示する表示部１５が設けられている。
【００２２】
操作表示パネル６の裏面には、マイクロコンピュータとメモリを含んで構成され、洗濯機１の作動全般を制御する制御手段として機能する制御装置２０が設けられている。この制御装置２０は、図３に示すように、操作キー１４からの操作信号や水位センサ１８や扉センサ１９やドラム温度センサ４２などの各種センサの検出信号が入力される。制御装置２０は、操作キー１４や各種センサから入力される信号とメモリに予め記憶された制御プログラムに基づき、駆動回路２１を介してドラムモータ１３、操作表示パネル６の表示部１５、給水弁１６、排水弁１７、除湿機構２２、温水ヒータ２３を制御する。また、制御装置２０は、照明装置４０に設けられた赤色用光源、緑色用光源、及び青色用光源を制御する照明制御部として機能する。
【００２３】
次に、上記構成の洗濯機１の動作の一例を説明する。
【００２４】
まず、洗濯機１の概略的な動作について説明する。使用者が操作表示パネル６の操作キー１４を操作して運転のコースを設定し、制御装置２０に運転開始が指示されると、洗濯機１は、設定された運転のコースに応じた洗濯運転、温水洗浄運転、乾燥運転、或いは洗濯運転又は温水洗浄運転と乾燥運転とを続けて行う洗濯乾燥運転を実行する。
【００２５】
そして、本実施形態の洗濯機１では、扉センサ１９で扉５の開放を検知した時や、洗濯機１に所定の異常が発生した時（例えば、回転ドラム１１内の衣類のかたより異常や、水槽８内に洗濯液が残存している異常や、全ての運転が終了した後に回転ドラム１１内に衣類の取り残しがある異常など）や、全ての運転が終了した時などの予め定められた条件を満たした場合、あるいは使用者が操作キー１４を操作して照明装置４０により回転ドラム１１内の照明を指示した場合に、制御装置２０が、照明装置４０に設けられた赤色用光源、緑色用光源、及び青色用光源の点灯及び消灯を制御する照明制御部として機能する。
【００２６】
ここでは、一例として、図４に例示するような全ての運転が終了した後に回転ドラム１１内に衣類の取り残しがある異常が発生した場合について説明する。
【００２７】
まず、使用者に設定された運転が全て終了した後（ステップＳ１）、扉センサ１９が扉５の開放を検知し（ステップＳ２のＹｅｓ）、その後、扉センサ１９が扉５の閉扉を検知すると（ステップＳ３のＹｅｓ）、制御装置２０は、回転ドラム１１内に衣類が残存し衣類の取り残しが有るか否か判断する（ステップＳ４）。衣類の取り残しの有無は、例えば、回転ドラム１１内を撮像したり、あるいは、回転ドラム１１を回転して回転ドラム１１の収容物の重量を検出したりすることで判断する。
【００２８】
そして、衣類の取り残しがない場合は（ステップＳ４のＮＯ）、照明装置４０を点灯することなく制御を終了する。一方、回転ドラム１１に衣類の取り残しがあると（ステップＳ４のＹｅｓ）、制御装置２０は、ドラム温度センサ４２で検出される回転ドラム１１内の温度Ｔｄが所定温度Ｔｔｈ（例えば、Ｔｔｈ＝６０℃）以下であるか否か判断する（ステップＳ５）。
【００２９】
制御装置２０は、ドラム温度センサ４２の検出温度Ｔｄが所定温度Ｔｔｈ以下であれば（ステップＳ５のＹｅｓ）、回転ドラム１１内の温度状態が常温状態と判断し、照明装置４０の赤色用光源、緑色用光源、及び青色用光源を連続発光させて時間ｔ１（例えば、ｔ１＝３０秒間）白色光を回転ドラム１１内に照射し（ステップＳ７）、その後、照明装置４０を消灯する（ステップＳ１０）。
【００３０】
一方、ドラム温度センサ４２の検出温度Ｔｄが所定温度Ｔｔｈより大きければ（ステップＳ５のＮｏ）、回転ドラム１１内の温度状態が高温状態と判断し、照明装置４０の赤色用光源、緑色用光源、及び青色用光源を連続発光させて常温状態の場合より短い時間ｔ２（例えば、ｔ２＝１０秒間）白色光を回転ドラム１１内に照射し（ステップＳ９）、その後、照明装置４０を消灯する（ステップＳ１０）。
【００３１】
以上のような洗濯機１では、回転ドラム１１内の温度が常温状態より高い高温状態にあると、照明装置４０の発光時間を常温状態に比べて短縮し照明装置４０の発熱を抑えるため、照明装置４０の過剰な温度上昇を抑え、照明装置４０の寿命が短くなるのを抑えることができる。
【００３２】
（変更例１）
上記した本実施形態では、照明装置４０の点灯指示が制御装置２０に入力された時に回転ドラム１１内が高温状態にあると、常温状態に比べて照明装置４０を連続発光させる時間を短縮する場合について説明したが、例えば、常温状態より高温状態において照明装置４０の印加電圧を低下させたり、高温状態において照明装置４０を点滅させたり、常温状態より高温状態においてPWM（Pulse Width Modulation）のＯＮ／ＯＦＦデューティー比を低下させて照明装置４０をパルス発光させたり、あるいは、常温状態のみ照明装置４０を点灯させ高温状態では照明装置４０の点灯を禁止したりすることで、常温状態に比べて高温状態における発光量を低下させてもよい。このような場合でも上記した実施形態と同様の作用効果が奏される。なお、その他の構成は第１の実施形態と同様であり、詳細な説明は省略する。
【００３３】
（変更例２）
上記した本実施形態では、照明装置４０の近傍に設けられたドラム温度センサ４２で検出された回転ドラム１１内の温度に基づいて回転ドラム１１内部の温度状態が常温状態と高温状態のいずれの状態にあるのかを判断したが、例えば、水槽８内の洗濯液を温水用ヒータ２３で加熱して衣類を温水で洗う温水洗浄運転の開始時点から温水洗浄運転の終了後所定時間経過するまでの間を高温状態と判断したり、回転ドラム１１と循環ダクトとの間で空気を循環させながら除湿機構２２で循環ダクト内部を流通する空気の除湿及び加熱を行い回転ドラム１１内の衣類を乾燥させる乾燥運転の開始時点から乾燥運転の終了後所定時間経過するまでの間を高温状態と判断し、その他の期間を常温状態と判断してもよい。このような場合では、温度センサが無くても洗濯機１の運転状況から回転ドラム１１内部の温度状態が常温状態と高温状態のいずれの状態にあるのかを判断することができ、部品点数の削減及び制御構成の簡略化を図ることができる。なお、その他の構成及び作用効果は第１の実施形態と同様であり、詳細な説明は省略する。
【００３４】
（変更例３）
上記した本実施形態では、照明装置４０の点灯指示が制御装置２０に入力された時に回転ドラム１１内が常温状態及び高温状態のいずれの状態であっても、制御装置２０が、照明装置４０の全ての光源を同時に発光させて白色光を回転ドラム１１内へ照射する場合について説明したが、例えば、常温状態では白色光を照射し、高温状態では照明装置４０の一部の光源（例えば、赤色用光源のみ）を発光させて常温状態と異なる色の光を照射してもよい。このような場合、回転ドラム１１内の温度状態が高温状態にあることを使用者に知らしめ注意を促すことができる。
【００３５】
また、このような変更例では、高温状態において常温状態と異なる色の光りで回転ドラム１１を照射することに加え、操作表示パネル６に設けられた表示部１５のバックライトの点灯色を照明装置４０の発光色にあわせて常温状態と高温状態とで変更したり、回転ドラム１１内の温度状態が高温状態の場合に音声などによってその旨を報知してもよい。
【００３６】
なお、その他の構成及び作用効果は第１の実施形態と同様であり、詳細な説明は省略する。
【００３７】
（変更例４）
上記した本実施形態では、回転槽（回転ドラム）１１が筐体３内で傾斜するように配置されたドラム式洗濯機の場合について説明したが、例えば、回転槽の回転軸を上下に向けた縦軸型の洗濯機に設けた照明装置の制御に適用することもできる。
【００３８】
（第２実施形態）
次に、本発明の第２実施形態について図５及び図６を参照して説明する。
【００３９】
上記した第１実施形態では、消灯している照明装置４０を点灯させるときに回転ドラム１１内が高温状態であるか否か判断したが、本実施形態は、既に照明装置４０が点灯しているときに回転ドラム１１内が高温状態であるか否か判断し、その結果に基づいて制御装置２０が照明装置４０を制御する点で上記した第１実施形態と相違する。この実施形態では、図５及び図６に例示するような衣類を温水で洗う温水洗浄運転を実行する場合について説明する。
【００４０】
まず、使用者が、洗濯物出入口４から回転ドラム１１内に衣類を収容した状態で、操作表示パネル６の操作キー１４を操作して、温水を利用して洗濯を行うコースを設定し、制御装置２０に運転開始が指示されると、制御装置２０は、ドラムモータ１３により回転ドラム１１を回転して回転ドラム１１に収容された衣類の重量を検出する（ステップＳ２１）。
【００４１】
制御装置２０は、検出した衣類の重量に応じて洗剤量、洗い時の水位、温水洗浄運転の実行時間などを設定し、そのうちの洗剤量を表示部１５に表示する。使用者は、その表示部１５に表示された分量の洗剤を洗剤投入ケース７に投入する。この後、制御装置２０は、給水弁１６を開放することで、給水弁１６に接続された水道の水を、洗剤投入ケース７を通して水槽８内に供給する。これに伴い、洗剤投入ケース７に投入された洗剤も、水とともに水槽８内に供給される（ステップＳ２２）。水槽８内の水位は、水位センサ１８により検出され、その検出信号も制御装置２０に出力される。
【００４２】
制御装置２０は、水槽８内の水位が設定水位に達したと判断すると、給水弁１６を閉止して給水を停止する。その後、制御装置２０は、ドラムモータ１３により回転ドラム１１を低速度ＲＬ（例えば４０〜６０ｒｐｍ）で正逆回転させることで衣類を撹拌するとともに、温水用ヒータ２３を通電して発熱させて、温水洗浄運転を開始する（ステップＳ２３）。これにより、水槽８内の洗濯液が加熱され温水となり、衣類が温水を利用して洗浄される。なお、この例では、温水洗浄運転の実行している間、水槽８内の洗濯液が所定温度（例えば、６０℃）になるように制御装置２０が温水用ヒータ２３の出力を制御する。
【００４３】
また、温水洗浄運転は給水直後に実行されるため、温水洗浄運転の開始時の回転ドラム１１は常温状態にある。そこで、本実施形態では、上記した温水洗浄運転を開始すると、照明装置４０の赤色用光源、緑色用光源、及び青色用光源を発光させて照明装置４０を点灯し、回転ドラム１１内を白色光で照明する（ステップＳ２４）。
【００４４】
なお、本実施形態では、温水洗浄運転の開始時に制御装置２０が照明装置４０を点灯する場合について説明するが、例えば、温水洗浄運転の開始以前から照明装置４０が点灯していれば、制御装置２０は温水洗浄運転の開始後も照明装置４０の点灯状態を維持する。
【００４５】
制御装置２０は、温水洗浄運転の開始とともに照明装置４０を点灯すると、ドラム温度センサ４２で検出される回転ドラム１１内の温度Ｔｄが所定温度Ｔｔｈ（例えば、Ｔｔｈ＝６０℃）以下であるか否か判断する（ステップＳ２５）。検出温度Ｔｄが所定温度Ｔｔｈ以下であれば（ステップＳ２５のＹｅｓ）、回転ドラム１１内の温度状態が常温状態にあるとしてこのステップを繰り返して照明装置４０の点灯を継続し、検出温度Ｔｄが所定温度Ｔｔｈより大きければ（ステップＳ２５のＮｏ）、回転ドラム１１内の温度状態が高温状態にあるとして照明装置４０を消灯する（ステップＳ２６）。
【００４６】
そして、制御装置２０は、照明装置４０を消灯した後も温水による撹拌動作を継続し、衣類の重量検知時に設定した温水洗浄運転の実行時間が経過すると、回転ドラム１１の回転を停止させて撹拌動作を終了するとともに、温水用ヒータ２３の通電を停止することで、温水洗浄運転が終了する（ステップＳ２７）。
【００４７】
その後、制御装置２０は、温水洗浄運転が終了したら排水弁１７を開放して、水槽８内の洗濯液（温水）を機外へ排出させる排水と（ステップＳ２８）、回転ドラム１１を一方向に高速度ＲＨ（例えば１３００ｒｐｍ）で回転させ衣類を遠心脱水する中間脱水と（ステップＳ２９）、水槽８内に水道水を供給するとともに回転ドラム１４を低速度ＲＬで正逆回転させるすすぎ行程と（ステップＳ３０）、回転ドラム１１を一方向に高速度ＲＨ（例えば１３００ｒｐｍ）で回転させ衣類を遠心脱水する最終脱水と（ステップＳ３１）を順次行い、全ての運転を終了する。
【００４８】
洗濯機１の運転開始直後に使用者が洗濯機１近傍で動作を確認することがあるが、温水洗浄運転の場合、洗濯液の加熱によって扉５の透光部５ｂが曇り外部から回転ドラム１１内の状況が確認しにくくなることがある。本実施形態の洗濯機１では、運転開始直後に照明装置４０によって扉５の内側から回転ドラム１１の内部を照明するため、扉５の透光部５ｂが曇っていても回転ドラム１１内の状況を確認しやすくなるとともに、温水洗浄運転が進み回転ドラム１１内が高温状態に達すると照明装置４０を消灯し、照明装置４０が過熱状態になるのを抑え照明装置４０の短寿命化を抑えることができる。
【００４９】
なお、上記した本実施形態において、温水洗浄運転の開始時に照明装置４０を点灯させる場合に、制御装置２０は、照明装置４０を点灯する前にドラム温度センサ４２の検出温度Ｔｄが所定温度Ｔｔｈ以下であるか否か判断し、所定温度Ｔｔｈ以下であれば（常温状態であれば）照明装置４０を点灯し、所定温度Ｔｔｈより大きければ（高温状態であれば）照明装置４０を点灯させなかったり、あるいは、常温状態に比べて照明装置４０の発光量を低下させて点灯させてもよい。
【００５０】
その他の構成及び作用効果は第１実施形態と同様であり、詳細な説明は省略する。
【００５１】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５２】
１…洗濯機、２…台板、３…筐体、３ａ…前面部、４…洗濯物出入口、５…扉、５ａ…枠体、５ｂ…透光部、６…操作表示パネル、７…洗剤投入ケース、８…水槽、８ａ…前面開口部、９…弾性支持機構、１０…ベローズ、１１…回転ドラム、１８…水位センサ、１９…扉センサ、２０…制御装置（照明制御部）、２３…温水用ヒータ、２８…回転ドラム、４０…照明装置、４１…取付孔、４２…ドラム温度センサ
【図１】
2017012508.tif 000003
【図２】
2017012508.tif 000004
【図３】
2017012508.tif 000005
【図４】
2017012508.tif 000006
【図５】
2017012508.tif 000007
【図６】
2017012508.tif 000008